(57)【要約】【課題】  熱交換器の全域に空気流を通過させ、熱交換器における熱交換の効率を向上できる冷却ファン装置を提供する。【解決手段】本発明に係る冷却ファン装置２０は、送風機２１と、送風機２１から送られる空気を熱交換器１０に向けて吹き付ける空気案内器１００とを備える。空気案内器１００は、送風機２１から空気が送られる側部ダクト１１０と、車幅方向に沿って熱交換器１０の全面に対応して車両上下方向に複数段に配設されるとともに、側部ダクト１１０と連通する前部ダクト１２０とによって構成される。前部ダクト１２０には、側部ダクト１１０から送られた空気を熱交換器１０に向けて吹き付けるエジェクタノズル１３０が形成される。前部ダクト１２０は、車幅方向の一側に向かって空気が流れる第１前部ダクト１２０Ａ，１２０Ｂと、車幅方向の他側に向かって空気が流れる第２前部ダクト１２０Ｄ，１２０Ｅとを備える。【選択図】図１
2014015864.tif 000002
【特許請求の範囲】
【請求項１】
車両前部側に配設される熱交換器(10)に空気を送風する冷却ファン装置(20)であって、
送風機(21)と、
前記熱交換器(10)の前部に配設されて前記送風機(21)から送られる空気を前記熱交換器(10)に向けて吹き付ける空気案内器(100)と
を備え、
前記空気案内器(100)は、
前記熱交換器(10)の車幅方向の側部に配設され、前記送風機(21)から送られる空気が送られる側部ダクト(110)と、
前記熱交換器(10)の前部で前記車幅方向に沿って前記熱交換器(10)の全面に対応して車両上下方向に複数段に配設され、前記側部ダクト(110)と連通する前部ダクト(120)と
によって構成され、
前記前部ダクト(120)には、前記側部ダクト(110)から送られた空気を前記熱交換器(10)に向けて吹き付けるエジェクタノズル(130)が形成され、
前記前部ダクト(120)は、
前記側部ダクト(110)から送られた空気が前記車幅方向の一側に向かって流れる第１前部ダクト(120A,120B,120C)と、
前記側部ダクト(110)から送られた空気が前記車幅方向の他側に向かって流れる第２前部ダクト(120D,120E,120F)と
を備えることを特徴とする冷却ファン装置(20)。
【請求項２】
請求項１に記載の冷却ファン装置(20)であって、
前記第１前部ダクト(120A,120B,120C)及び前記第２前部ダクト(120D,120E,120F)は、前記車両上下方向に交互に配置されることを特徴とする冷却ファン装置(20)。
【請求項３】
請求項１又は請求項２に記載の冷却ファン装置(20)であって、
前記第１前部ダクト(120A,120B,120C)及び前記第２前部ダクト(120D,120E,120F)は、同一数で設けられることを特徴とする冷却ファン装置(20)。
【請求項４】
請求項１乃至請求項３の何れかに記載の冷却ファン装置(20)であって、
前記送風機(21)は、
前記熱交換器(10)の前記車幅方向の一方の側部に配設される第１送風機(21A)と、
前記熱交換器(10)の前記車幅方向の他方の側部に配設される第２送風機(21B)と
によって構成され、
前記側部ダクト(110)は、
前記第１送風機(21A)から空気が送られる第１側部ダクト(110A)と、
前記第２送風機(21B)から空気が送られる第２側部ダクト(110B)と
によって構成され、
前記第１前部ダクト(120A,120B,120C)は、前記第１側部ダクト(110A)に連通し、
前記第２前部ダクト(120D,120E,120F)は、前記第２側部ダクト(110B)に連通することを特徴とする冷却ファン装置。
【発明の詳細な説明】
【技術分野】
【０００１】
本発明は、熱交換ユニットを構成する冷却ファン装置に関する。
【背景技術】
【０００２】
従来から、車両のフロントエンドモジュールには、熱交換ユニットが設けられている。この熱交換ユニットは、ラジエータ及びコンデンサからなる熱交換器と、電動ファン及びファンモータなどからなる冷却ファン装置とによって大略構成されている（例えば、特許文献１参照）。
【０００３】
熱交換器の後部には、熱交換器と電動ファンとの間の流路を形成するシュラウドが設けられている。シュラウドには、正面視で略円形状の左右一対の開口部が形成されており、該開口部には、電動ファンが取り付けられている。
【０００４】
このような熱交換ユニットでは、電動ファンの回転によって、車両前部から導入した空気を熱交換器に通過させ、熱交換器内を循環する冷媒や冷却水を放熱させて冷却できるようになっている。
【先行技術文献】
【特許文献】
【０００５】
【特許文献１】特開２００５−８３３２１号公報
【発明の概要】
【発明が解決しようとする課題】
【０００６】
しかしながら、上述した従来の冷却ファン装置では、シュラウドに形成された開口部が略円形状であることによって、該開口部の周囲の壁部（特に、正面視で四隅）に空気が通過しにくい。つまり、熱交換器の端部（特に、正面視で四隅）に空気が通過しにくいのが現状であった。このため、熱交換器の全域に空気流を通過させて、熱交換器における熱交換の効率をより向上させる技術が望まれていた。
【０００７】
そこで、本発明は、熱交換器の全域に空気流を通過させ、熱交換器における熱交換の効率を向上できる冷却ファン装置の提供を目的とする。
【課題を解決するための手段】
【０００８】
上述した課題を解決するため、本発明は、次のような特徴を有している。まず、本発明の第１の特徴は、車両前部側に配設される熱交換器に空気を送風する冷却ファン装置であって、送風機と、前記熱交換器の前部に配設されて前記送風機から送られる空気を前記熱交換器に向けて吹き付ける空気案内器とを備え、前記空気案内器は、前記熱交換器の車幅方向の側部に配設され、前記送風機から送られる空気が送られる側部ダクトと、前記熱交換器の前部で前記車幅方向に沿って前記熱交換器の全面に対応して車両上下方向に複数段に配設され、前記側部ダクトと連通する前部ダクトとによって構成され、前記前部ダクトには、前記側部ダクトから送られた空気を前記熱交換器に向けて吹き付けるエジェクタノズルが形成され、前記前部ダクトは、前記側部ダクトから送られた空気が前記車幅方向の一側に向かって流れる第１前部ダクトと、前記側部ダクトから送られた空気が前記車幅方向の他側に向かって流れる第２前部ダクトとを備えることを要旨とする。
【０００９】
本発明の第２の特徴は、本発明の第１の特徴に係る冷却ファン装置であって、前記第１前部ダクト及び前記第２前部ダクトは、前記車両上下方向に交互に配置されることを要旨とする。
【００１０】
本発明の第３の特徴は、本発明の第１又は第２の特徴に係る冷却ファン装置であって、前記第１前部ダクト及び前記第２前部ダクトは、同一数で設けられることを要旨とする。
【００１１】
本発明の第４の特徴は、本発明の第１乃至第３の特徴に係る冷却ファン装置であって、前記送風機は、前記熱交換器の前記車幅方向の一方の側部に配設される第１送風機と、前記熱交換器の前記車幅方向の他方の側部に配設される第２送風機とによって構成され、前記側部ダクトは、前記第１送風機から空気が送られる第１側部ダクトと、前記第２送風機から空気が送られる第２側部ダクトとによって構成され、前記第１前部ダクトは、前記第１側部ダクトに連通し、前記第２前部ダクトは、前記第２側部ダクトに連通することを要旨とする。
【発明の効果】
【００１２】
本発明の特徴によれば、前部ダクトは、熱交換器の前部で車幅方向に沿って熱交換器の全面に対応して車両上下方向に複数段に配設され、前部ダクトに形成されたエジェクタノズルは、側部ダクトから送られた空気を熱交換器に向けて吹き付ける。これにより、エジェクタノズルから放出された空気は、前部ダクトの前部の空気を誘引しながら熱交換器を通過する。つまり、エジェクタノズルから放出された空気は、当該空気に誘引された前部ダクトの前部の空気とともに、熱交換器の全面を通過する。このため、熱交換器の全面を確実に冷却でき、熱交換器における熱交換の効率をより向上できる。
【００１３】
加えて、前部ダクトは、第１前部ダクトと第２前部ダクトとを備える。つまり、第１前部ダクトを流れる空気と、第２前部ダクトを流れる空気とは、それぞれ異なる方向に流れている。これにより、第１前部ダクト及び第２前部ダクトのそれぞれのエジェクタノズルから放出された空気は、風量の多い部分と少ない部分とで補間されて、熱交換器へ送風される空気の風量の損失が飛躍的に軽減される。従って、前部ダクトの車両幅方向における空気の風速分布が均等になりやすく、熱交換器の全面をさらに確実に冷却できる。
【図面の簡単な説明】
【００１４】
【図１】図１は、本実施形態に係る熱交換ユニットを示す分解斜視図である。
【図２】図２は、本実施形態に係る熱交換ユニットを示す平面図である。
【図３】図３は、本実施形態に係る熱交換ユニットを示す側面図（一部断面図）である。
【図４】図４（ａ）は、図１のＡ−Ａ断面図であり、図４（ｂ）は、図１のＢ−Ｂ断面図である。
【図５】図５は、本実施形態に係る空気案内器の正面を示す模式図である。
【図６】図６は、本実施形態に係る第１前部ダクト及び第２前部ダクトを示す斜視図である。
【図７】図７（ａ）は、図５のＣ−Ｃ断面図であり、図７（ｂ）は、図５のＤ−Ｄ断面図である。
【図８】図８（ａ）は、第１前部ダクトのみを示す平面図であり、図８（ｂ）は、第２前部ダクトのみを示す平面図である。
【図９】図９（ａ）は、変更例に係る空気案内器の正面を示す模式図であり、図９（ｂ）は、図９（ａ）のＥ−Ｅ断面図である。
【発明を実施するための形態】
【００１５】
次に、本発明に係る冷却ファン装置を備えた熱交換ユニットの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１６】
（熱交換ユニットの構成）
まず、本実施形態に係る熱交換ユニット１の構成について、図面を参照しながら説明する。図１は、本実施形態に係る熱交換ユニット１を示す分解斜視図である。図２は、本実施形態に係る熱交換ユニット１を示す平面図（一部断面図）である。図３は、本実施形態に係る熱交換ユニット１を示す側面図（一部断面図）である。なお、以下の説明においては、車両の前方（ＦＤ）を「前部」と称し、車両の後方（ＲＤ）を「後部」と称し、車両の幅方向（ＷＤ）を「車幅方向」や「側部」と称し、車両の上下方向（ＵＤ・ＤＤ）を「上部」或いは「下部」と称することがある。
【００１７】
本実施形態に係る熱交換ユニット１は、車両のフロントエンドモジュールに設けられるものである。図１〜図３に示すように、熱交換ユニット１は、熱交換器１０と、冷却ファン装置２０と、ラジエータコアサポート３０とによって大略構成される。
【００１８】
熱交換器１０は、ラジエータ１１とコンデンサ１２とによって構成されており、ラジエータコアサポート３０に固定される。冷却ファン装置２０は、熱交換器１０の車幅方向の両側部に取り付けられる一対の送風機２１と、各送風機２１から送られる空気を熱交換器１０に向けて吹き付ける空気案内器１００とを備えている。
【００１９】
送風機２１は、ラジエータコアサポート３０の近傍の空気を空気案内器１００に送風するものである。送風機２１は、熱交換器１０の車幅方向の一方の側部に配設される第１送風機２１Ａと、熱交換器１０の車幅方向の他方の側部に配設される第２送風機２１Ｂとによって構成されている。なお、空気案内器１００の詳細については、後述する。
【００２０】
ラジエータコアサポート３０は、車両前部に設けられている。ラジエータコアサポート３０には、熱交換器１０が収容される熱交換器収容部３１が設けられている。熱交換器収容部３１には、熱交換器１０を通過した空気がエンジンルーム（不図示）側に送風される空気送風開口３１Ａが形成されている。熱交換器収容部３１の車幅方向の側部には、空気案内器１００の一部（後述する側部ダクト１１０）が収容されるダクト収容部３２が設けられている。
【００２１】
ダクト収容部３２には、車両前部に向かって突出する係止突起３２Ａ（図２参照）が形成されている。ダクト収容部３２の車幅方向の側部には、送風機２１が収容される送風機収容部３３が下方に設けられ、壁面３５を介してライト（不図示）が収容されるライト収容部３４が上方に設けられている。ダクト収容部３２と送風機収容部３３及びライト収容部３４との間には、壁面３５が設けられている。この壁面３５には、送風機２１から送られる空気が通過可能な空気通過開口３５Ａが形成されている。
【００２２】
（空気案内器の構成）
次に、上述した空気案内器１００の構成について、図１〜図６を参照しながら説明する。図４（ａ）は、図１のＡ−Ａ断面図であり、図４（ｂ）は、図１のＢ−Ｂ断面図である。図５は、本実施形態に係る空気案内器１００の正面を示す模式図である。図６は、本実施形態に係る第１前部ダクト１１０Ｂ及び第２前部ダクト１１０Ｄを示す斜視図である。
【００２３】
図１〜図３に示すように、空気案内器１００は、樹脂やアルミ等によって形成されており、熱交換器１０の周囲に配設されている。空気案内器１００は、熱交換器１０が固定されるラジエータコアサポート３０に取り付けられる。空気案内器１００は、熱交換器１０の車幅方向の両側部に配設される側部ダクト１１０と、側部ダクト１１０に取り付けられて熱交換器１０の前部に配設される前部ダクト１２０とによって構成される。
【００２４】
（側部ダクト）
側部ダクト１１０は、送風機２１から送られた空気を前部ダクト１２０に分岐させる。側部ダクト１１０は、第１送風機２１Ａから空気が送られる第１側部ダクト１１０Ａと、第２送風機２１Ｂから空気が送られる第２側部ダクト１１０Ｂとによって構成されている。
【００２５】
第１側部ダクト１１０Ａ及び第２側部ダクト１１０Ｂには、送風機２１から送られる空気が通過する内部空間１１１がそれぞれ形成されている。第１側部ダクト１１０Ａ及び第２側部ダクト１１０Ｂの熱交換器１０側の面１１２には、熱交換器１０側に向けて突出して前部ダクト１２０が取り付けられる取付部１１３が形成されている。
【００２６】
取付部１１３は、車両上下方向に等間隔で複数（本実施形態では、４つ）設けられている。この取付部１１３の内面には、前部ダクト１２０の外周が嵌合されるようになっている。側部ダクト１１０の車両後部に向かう側縁には、係止突起３２Ａと係止する係止凹部１１４（図２参照）が形成されている。
【００２７】
（前部ダクト）
前部ダクト１２０は、側部ダクト１１０により分岐された空気を熱交換器１０に向けて吹き付ける。前部ダクト１２０は、車幅方向に沿って延在しており、熱交換器１０の全面に対応して車両上下方向に複数段（本実施形態では、４段）設けられている。
【００２８】
前部ダクト１２０には、側部ダクト１１０から送られた空気を熱交換器１０に向けて吹き付けるエジェクタノズル１３０が形成されている。エジェクタノズル１３０は、図３に示すように、熱交換器１０に対して上部側或いは下部側に送風している。
【００２９】
前部ダクト１２０は、図５及び図６に示すように、側部ダクト１１０（第１側部ダクト１１０Ａ）から送られた空気が車幅方向の一側に向かって流れる第１前部ダクト１２０Ａ，１２０Ｂと、側部ダクト１１０（第２側部ダクト１１０Ｂ）から送られた空気が車幅方向の他側に向かって流れる第２前部ダクト１２０Ｄ，１２０Ｅとを備えている。第１前部ダクト１２０Ａ，１２０Ｂ及び第２前部ダクト１２０Ｄ，１２０Ｅは、車両上下方向に交互に配置されており、同一数で設けられている。
【００３０】
具体的には、図５に示すように、第１側部ダクト１１０Ａ寄りの第１前部ダクト１２０Ａ，１２０Ｂの一端は、第１側部ダクト１１０Ａに連通しており、第２側部ダクト１１０Ｂ寄りの第１前部ダクト１２０Ａ，１２０Ｂの他端は、第２側部ダクト１１０Ｂの面１１２によって閉鎖されている。
【００３１】
一方、第２側部ダクト１１０Ｂ寄りの第２前部ダクト１２０Ｄ，１２０Ｅの一端は、第２側部ダクト１１０Ｂに連通しており、第１側部ダクト１１０Ａ寄りの第２前部ダクト１２０Ｄ，１２０Ｅの他端は、第１側部ダクト１１０Ａの面１１２によって閉鎖されている。
【００３２】
このような前部ダクト１２０は、熱交換器１０に向かって先細状に延在する本体部１２１と、本体部１２１の前部側に連結されて側面視で湾曲状に形成された湾曲部１２２とによって構成されている（図３及び図４参照）。湾曲部１２２の端縁１２２ｅが本体部１２１の端縁１２１ｅをラップした状態で端縁１２１ｅの外周に位置しており、本体部１２１と湾曲部１２２との間の隙間が上述したエジェクタノズル１３０になっている。
【００３３】
図４に示すように、湾曲部１２２は、本体部１２１の湾曲部１２２側に設けられた連結基台１２３にビスＢを介して連結されている。連結基台１２３は、車幅方向に対して所定間隔おき（図６参照）に設けられている。
【００３４】
（熱交換ユニットの組立方法）
次に、上述した熱交換ユニット１の組立方法について、図面を参照しながら簡単に説明する。
【００３５】
まず、側部ダクト１１０の取付部１１３に前部ダクト１２０を取り付けて、空気案内器１００を形成する。
【００３６】
次いで、図２〜図４に示すように、ラジエータコアサポート３０に、熱交換器１０や送風機２１、空気案内器１００、ライト（不図示）を組み付けて熱交換ユニット１を組み立てる。つまり、熱交換器収容部３１に熱交換器１０を組み付け、ダクト収容部３２に空気案内器１００を組み付け、送風機収容部３３に送風機２１を組み付け、ライト収容部３４にライト（不図示）を組み付ける。
【００３７】
この際、ダクト収容部３２の係止突起３２Ａに側部ダクト１１０の係止凹部１１４が圧入されることによって、空気案内器１００がラジエータコアサポート３０に係止されるとともに熱交換器１０の前部に配設される。
【００３８】
（空気の流れ）
次に、上述した熱交換ユニット１の空気の流れについて、図面を参照しながら簡単に説明する。図７（ａ）は、図５のＣ−Ｃ断面図であり、図７（ｂ）は、図５のＤ−Ｄ断面図である。図８（ａ）は、第１前部ダクト１２０Ａ，１２０Ｂのみを示す平面図であり、図８（ｂ）は、第２前部ダクト１２０Ｄ，１２０Ｅのみを示す平面図である。
【００３９】
まず、送風機２１（第１送風機２１Ａ及び第２送風機２１Ｂ）が駆動すると、送風機２１から側部ダクト１１０（第１側部ダクト１１０Ａ及び第２側部ダクト１１０Ｂ）へ空気が送り込まれる。なお、送風機２１の回転速度等を調整することによって空気の速度を制御できる。
【００４０】
側部ダクト１１０へ送り込まれた空気は、側部ダクト１１０の各取付部１１３から分岐して前部ダクト１２０に導入される。具体的には、第１送風機２１Ａから送り込まれた空気は、第１側部ダクト１１０Ａを介して第１前部ダクト１２０Ａ，１２０Ｂに導入される。一方、第２送風機２１Ｂから送り込まれた空気は、第２側部ダクト１１０Ｂを介して第２前部ダクト１２０Ｄ，１２０Ｅに導入される。
【００４１】
そして、前部ダクト１２０（第１前部ダクト１２０Ａ，１２０Ｂ及び第２前部ダクト１２０Ｄ，１２０Ｅ）に導入された空気は、エジェクタノズル１３０から熱交換器１０に対して送風される（図４参照）。各前部ダクト１２０のエジェクタノズル１３０から放出された空気は、前部ダクト１２０の前部の空気を誘引しながら（巻き込みながら）、熱交換器１０を通過する。つまり、エジェクタノズル１３０から放出された空気は、当該空気に誘引された前部ダクト１２０の前部の空気とともに、熱交換器１０の全面を通過している。
【００４２】
このとき、図８に示すように、第１前部ダクト１２０Ａ，１２０Ｂに導入された空気は、第２側部ダクト１１０Ｂの面１１２に衝突し、第１前部ダクト１２０Ａ，１２０Ｂに導入された空気は、第１側部ダクト１１０Ａの面１１２に衝突する。すると、風圧（動圧及び静圧）の関係により空気が導入される側部ダクト１１０側から離れるに連れて（面１１２側に向かって）、前部ダクト１２０の車両幅方向での風量が片寄ってしまう。すなわち、空気が導入される側部ダクト１１０でのエジェクタノズル１３０から放出される空気の風速が小さく、当該側部ダクト１１０から離れた位置（面１１２側）でのエジェクタノズル１３０から放出される風速が大きなる（図８の矢印参照）。
【００４３】
しかし、本実施形態では、図５及び図６に示すように、第１前部ダクト１２０Ａ，１２０Ｂを流れる空気と、第２前部ダクト１２０Ｄ，１２０Ｅを流れる空気とは、それぞれ異なる方向に流れている。これにより、第１前部ダクト１２０Ａ，１２０Ｂ及び第２前部ダクト１２０Ｄ，１２０Ｅのそれぞれのエジェクタノズル１３０から放出された空気は、風量の多い部分と少ない部分とで補間されて、熱交換器１０へ送風される空気の風量の損失が飛躍的に軽減される。
【００４４】
（作用・効果）
以上説明した本実施形態では、前部ダクト１２０は、熱交換器１０の前部で車幅方向に沿って熱交換器１０の全面に対応して車両上下方向に複数段に配設され、前部ダクト１２０に形成されたエジェクタノズル１３０は、側部ダクト１１０から送られた空気を熱交換器１０に向けて吹き付ける。これにより、エジェクタノズル１３０から放出された空気は、前部ダクト１２０の前部の空気を誘引しながら熱交換器１０を通過する。つまり、エジェクタノズル１３０から放出された空気は、当該空気に誘引された前部ダクト１２０の前部の空気とともに、熱交換器１０の全面を通過する。このため、熱交換器１０の全面を確実に冷却でき、熱交換器１０における熱交換の効率をより向上できる。
【００４５】
加えて、前部ダクト１２０は、第１前部ダクト１２０Ａ，１２０Ｂと第２前部ダクト１２０Ｄ，１２０Ｅとを備える。つまり、第１前部ダクト１２０Ａ，１２０Ｂを流れる空気と、第２前部ダクト１２０Ｄ，１２０Ｅを流れる空気とは、それぞれ異なる方向に流れている。これにより、第１前部ダクト１２０Ａ，１２０Ｂ及び第２前部ダクト１２０Ｄ，１２０Ｅのそれぞれのエジェクタノズル１３０から放出された空気は、風量の多い部分と少ない部分とで補間されて、熱交換器１０へ送風される空気の風量の損失が飛躍的に軽減される。従って、前部ダクト１２０の車両幅方向における空気の風速分布が均等になりやすく、熱交換器１０の全面をさらに確実に冷却できる。
【００４６】
本実施形態では、第１前部ダクト１２０Ａ，１２０Ｂ及び第２前部ダクト１２０Ｄ，１２０Ｅは、車両上下方向に交互に配置されており、同一数で設けられる。これにより、前部ダクト１２０の車両幅方向における空気の風速分布がさらに均等になりやすく、熱交換器１０の全面をさらに確実に冷却できる。
【００４７】
本実施形態では、送風機２１及び空気案内器１００は、熱交換器１０が固定されるラジエータコアサポート３０に取り付けられる。これにより、送風機２１及び空気案内器１００を別途固定するための部材が不要である。このため、車両重量の増大を招くことなく、熱交換ユニット１の製造コストの低減にも寄与する。
【００４８】
本実施形態では、各前部ダクト１２０の湾曲部１２２は、ビスＢを介して本体部１２１の連結基台１２３に連結されている。これにより、本体部１２１と湾曲部１２２との固定強度（保持力）を増大させることでき、エジェクタノズル１３０の周囲の剛性を確保できる。つまり、エジェクタノズル１３０の周囲がばたつくことなく、異音の発生を防止できるとともに、エジェクタノズル１３０放出する空気を安定させることができる。
【００４９】
（変更例）
次に、上述した前部ダクト１２０の変更例について、図面を参照しながら説明する。図９（ａ）は、変更例に係る空気案内器の正面を示す模式図であり、図９（ｂ）は、図９（ａ）のＥ−Ｅ断面図である。なお、上述した実施形態に係る前部ダクト１２０と同一部分には同一の符号を付して、相違する部分を主として説明する。
【００５０】
変更例では、上述した実施形態と第１前部ダクト１２０Ａ，１２０Ｂ及び第２前部ダクト１２０Ｄ，１２０Ｅの構成が異なっている。図９に示すように、変更例では、各前部ダクト１２０内は、壁面１２６によって車両上下方向に二分割されている。
【００５１】
壁面１２６の上方には、第１送風機２１Ａから空気が送られる第１前部ダクト１２０Ｃが設けられる。一方、壁面１２６の下方には、第２送風機２１Ｂから空気が送られる第２前部ダクト１２０Ｆが設けられている。すなわち、第１前部ダクト１２０Ｃ及び第２前部ダクト１２０Ｆは、一つの前部ダクト１２０に設けられている。
【００５２】
このような変更例であっても、上述した実施形態と同様に、熱交換器１０へ送風される空気の風量の損失が飛躍的に軽減されて、熱交換器１０を通過する際の空気の風速分布が均等になりやすく、熱交換器１０の全面をさらに確実に冷却できる。
【００５３】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５４】
例えば、本発明の実施形態は、次のように変更することができる。具体的には、冷却ファン装置２０は、一対の送風機２１を備えているものとして説明したが、これに限定されるものではなく、熱交換器１０の車幅方向のいずれか一方の側部に取り付けられる一つの送風機２１を備えるものであってもよい。この場合、空気案内器１００は、熱交換器１０の車幅方向のいずれか一方の側部に取り付けられる一つの側部ダクト１１０を備えることになる。
【００５５】
また、側部ダクト１１０と前部ダクト１２０とは、別体に設けられるものとして説明したが、これに限定されるものではなく、一体形成されていてもよい。また、前部ダクト１２０の形状については、実施形態で説明した形状に限定されるものではなく、熱交換器１０に向けて吹き付けられる形状であればよいことは勿論である。
【００５６】
また、前部ダクト１２０は、第１前部ダクト１２０Ａ，１２０Ｂ及び第２前部ダクト１２０Ｄ，１２０Ｅの４つのダクトを備えるものとして説明したが、これに限定されるものではなく、少なくとも第１前部ダクト及び第２前部ダクトの２つのダクトを備えていればよい。
【００５７】
また、各前部ダクト１２０には、熱交換器１０に対して上部側に送風するエジェクタノズル１３０、及び、熱交換器１０に対して下部側に送風するエジェクタノズル１３０のうち、少なくとも一方が形成されていればよい。なお、各前部ダクト１２０には、必ずしも連結基台１２３が設けられる必要はなく、複数の前部ダクト１２０のうちの最上段及び最下段に位置する前部ダクト１２０では、本体部１２１と湾曲部１２２とが一体形成されていてもよい。
【００５８】
さらに、第１前部ダクト１２０Ａ，１２０Ｂ，１２０Ｃ及び第２前部ダクト１２０Ｄ，１２０Ｅ，１２０Ｆは、車両上下方向に交互に配置されるものとして説明したが、これに限定されるものではなく、車両上下方向に交互に配置されていなくてもよい。なお、第１前部ダクト１２０Ａ，１２０Ｂ及び第２前部ダクト１２０Ｄ，１２０Ｅは、必ずしも同一数で設けられる必要はなく、異なる数で設けられていてもよい。
【００５９】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００６０】
１…熱交換ユニット
１０…熱交換器
２０…冷却ファン装置
２１…送風機
２１Ａ…第１送風機
２１Ｂ…第２送風機
３０…ラジエータコアサポート
１００…空気案内器
１１０…側部ダクト
１１０Ａ…第１側部ダクト
１１０Ｂ…第２側部ダクト
１２０…前部ダクト
１２０Ａ，１２０Ｂ，１２０Ｃ…第１前部ダクト
１２０Ｄ，１２０Ｅ，１２０Ｆ…第２前部ダクト
１２１…本体部
１２２…湾曲部
１２３…連結基台
１３０…エジェクタノズル
【図１】
2014015864.tif 000003
【図２】
2014015864.tif 000004
【図３】
2014015864.tif 000005
【図４】
2014015864.tif 000006
【図５】
2014015864.tif 000007
【図６】
2014015864.tif 000008
【図７】
2014015864.tif 000009
【図８】
2014015864.tif 000010
【図９】
2014015864.tif 000011